(57)【要約】【課題】捕集したゴミにユーザが触れることなく容易に除去できるリントフィルタおよびそれを用いたドラム式洗濯機を提供する。【解決手段】リントフィルタ３０は、洗濯水を通過させるときにゴミを捕集するフィルタ面を備えたフィルタ本体３１と、フィルタ本体３１のフィルタ面に沿って移動可能であり、フィルタ面に沿った移動によってフィルタ面に付着したゴミを掻き取る可動部材３２とを有している。フィルタ本体３１のフィルタ面は、上下方向に延設された複数のリブによって形成されたリブ状フィルタであり、可動部材３２はリブに沿って上下方向に移動する。【選択図】図４
2020195502.tif 000002
【特許請求の範囲】
【請求項１】
水が流入する流入口と水が流出する第１の流出口とが形成されたフィルタケースに着脱自在に収容されるフィルタであって、
ゴミを捕集するリブが形成されたフィルタ本体と、
前記リブの間に設けられて前記リブに沿った移動をガイドするガイド部が形成された可動部材とを有することを特徴とするフィルタ。
【請求項２】
請求項１に記載のフィルタであって、
前記フィルタ本体は、開口が形成された有底のフィルタ部を有しており、前記フィルタ部の少なくとも側面が前記リブで形成されているフィルタ。
【請求項３】
請求項２に記載のフィルタであって、
前記フィルタ本体は、前記流入口から流入した水が、前記開口、前記リブをこれらの順に通過して、前記第１の流出口から流出するように設けられているフィルタ。
【請求項４】
請求項３に記載のフィルタであって、
前記フィルタケースは、水が流出する第２の流出口が形成されたものであり、
前記フィルタ本体は、前記リブを通過した水が前記第２の流出口から流出するように設けられているフィルタ。
【請求項５】
請求項３または４に記載のフィルタであって、
前記フィルタケースは、前記第１の流出口に排水を行う排水配管が取り付けられたものであり、
前記フィルタ部は、前記側面に囲まれた領域に設けられてゴミを捕集する複数個の捕集リブを有しており、
前記フィルタ本体は、前記開口を通過した水が、前記捕集リブ、前記リブをこれらの順に通過して、前記第１の流出口から流出するように設けられているフィルタ。
【請求項６】
請求項１から５の何れか１項に記載のフィルタであって、
前記可動部材は、前記フィルタ本体より外側に突出する取手部を有していることを特徴とするフィルタ。
【請求項７】
請求項１から６の何れか１項に記載のフィルタであって、
前記可動部材は、前記フィルタ本体から抜き取り可能であることを特徴とするフィルタ。
【請求項８】
請求項１から７の何れか１項に記載のフィルタを備えたことを特徴とする洗濯機。
【発明の詳細な説明】
【技術分野】
【０００１】
本発明は、フィルタおよびそれを用いた洗濯機に関する。
【背景技術】
【０００２】
洗濯機では、洗濯槽の外部に洗濯水の循環路が設けられており、洗濯時には洗濯槽と循環路との間で洗濯水を循環させている。また、循環路にはフィルタユニットが設けられており、洗濯中に発生する糸くずなどのゴミをフィルタユニット内のリントフィルタで捕集するようになっている（例えば、特許文献１）。
【０００３】
リントフィルタで捕集されたゴミは、放置すると循環路や排水路が詰まり、循環できなくなり、洗濯性能が悪化したり、排水に時間がかかる原因となるため、定期的にリントフィルタから除去する必要がある。
【先行技術文献】
【特許文献】
【０００４】
【特許文献１】特開２０１６−１０１５２７号公報
【発明の概要】
【発明が解決しようとする課題】
【０００５】
特許文献１では、リントフィルタに通水性シートを装着し、リントフィルタで捕集したゴミを通水性シートごと除去できるようにしている。しかしながら、特許文献１は、格子に付着したゴミまたは汚れを除去することが困難である。
【０００６】
本発明は、上記課題に鑑みてなされたものであり、清掃を容易に行うことができるフィルタおよびそれを用いた洗濯機を提供することを目的とする。
【課題を解決するための手段】
【０００７】
本発明の第１の態様であるフィルタは、水が流入する流入口と水が流出する第１の流出口とが形成されたフィルタケースに着脱自在に収容されるフィルタであって、ゴミを捕集するリブが形成されたフィルタ本体と、前記リブの間に設けられて前記リブに沿った移動をガイドするガイド部が形成された可動部材とを有することを特徴としている。
【０００８】
上記の構成によれば、リブの間に設けられたガイド部が、リブに沿って移動することで、リブの間のゴミを除去することができる。また、ガイド部が、リブの間に設けられているため、可動部材の変形や脱落などが抑制される。
【発明の効果】
【０００９】
本発明のフィルタおよびそれを用いた洗濯機は、清掃を容易に行うことができるといった効果を奏する。
【図面の簡単な説明】
【００１０】
【図１】実施の形態１に係るドラム式洗濯機の要部構成を示す模式図である。
【図２】実施の形態１に係るフィルタユニットを斜め上前方から見た分解斜視図である。
【図３】実施の形態１に係るフィルタユニットを斜め上後方から見た分解斜視図である。
【図４】実施の形態１に係るリントフィルタの具体的構成を示す斜視図であり、（ａ）はフィルタケースに収容される状態を示し、（ｂ）はフィルタケースから取り出されて溜まったゴミを除去するときの状態を示す。
【図５】実施の形態１に係るリントフィルタの構成部品を示す斜視図であり、（ａ）はフィルタ本体、（ｂ）〜（ｄ）は可動部材を示す。
【図６】実施の形態１に係るリントフィルタの変形例を示す斜視図であり、（ａ）はフィルタケースに収容される状態を示し、（ｂ）はフィルタケースから取り出されて溜まったゴミを除去するときの状態を示す。
【図７】実施の形態２に係るリントフィルタの具体的構成を示す斜視図であり、（ａ）はフィルタケースに収容される状態を示し、（ｂ）はフィルタケースから取り出されて溜まったゴミを除去するときの状態を示す。
【図８】実施の形態２に係るリントフィルタの構成部品を示す斜視図であり、（ａ）はフィルタ本体、（ｂ），（ｃ）は可動部材を示す。
【図９】実施の形態２に係るリントフィルタの変形例を示す斜視図であり、（ａ）はフィルタ本体、（ｂ）は可動部材を示す。
【図１０】実施の形態３に係るリントフィルタの具体的構成を示す斜視図であり、（ａ）はフィルタケースに収容される状態を示し、（ｂ）はフィルタケースから取り出されて溜まったゴミを除去するときの状態を示す。
【図１１】実施の形態４に係るリントフィルタの具体的構成を示す斜視図であり、（ａ）はフィルタケースに収容される状態を示し、（ｂ）はフィルタケースから取り出されて溜まったゴミを除去するときの状態を示す。
【図１２】（ａ），（ｂ）は、２つの部品を組み合わせてなる可動部材の構成例を示す分解斜視図である。
【図１３】（ａ）は可動部材が初期位置に戻されておらずリントフィルタをフィルタケース内に収容できない状態のフィルタユニットを示す断面図、（ｂ）は可動部材が初期位置に戻されておりリントフィルタをフィルタケース内に収容できる状態のフィルタユニットを示す断面図である。
【図１４】リントフィルタをフィルタケースに挿入するときの動作に連動させて、可動部材を初期位置に戻すことのできるフィルタユニットを示す断面図である。
【発明を実施するための形態】
【００１１】
〔実施の形態１〕
以下、本発明の実施の形態について、図面を参照して詳細に説明する。図１は、本実施の形態１に係るドラム式洗濯機（洗濯機）１０の要部構成を示す模式図である。ドラム式洗濯機１０は、本体１００とドア１２０とを具備して構成されており、内部に回転ドラム１１１を備えた洗濯槽１１０を本体１００側に有している。洗濯槽１１０は、本体１００の前面側で開口しており、ドア１２０を閉じたときにその内部が液密に封止されるようになっている。
【００１２】
洗濯槽１１０には、第１配管１３１および第２配管１３２を介してフィルタユニット２０が接続されている。また、第２配管１３２の途中には、循環用ポンプ１４０が設けられている。すなわち、洗濯槽１１０の外部には、第１配管１３１、第２配管１３２、フィルタユニット２０および循環用ポンプ１４０によって構成される循環路が設けられており、洗濯時には洗濯槽１１０と循環路との間で洗濯水が循環させられる。具体的には、洗濯水は第１配管１３１によって洗濯槽１１０からフィルタユニット２０に送られ、第２配管１３２によってフィルタユニット２０から洗濯槽１１０に戻される。このとき、洗濯中に発生する糸くずなどのゴミはフィルタユニット２０内のフィルタで捕集され、ゴミの取り除かれた洗濯水が洗濯槽１１０へ戻される。尚、図１では、第２配管１３２は洗濯槽１１０の背面側に接続されているが、洗濯槽１１０に対する第２配管１３２の接続箇所は特に限定されるものではない。
【００１３】
また、フィルタユニット２０には、排水用の第３配管１３３も接続されており、第２配管１３２には循環ポンプ１４０が接続され、第３配管（排水配管）１３３には電磁弁１５１が設けられている。すなわち、洗濯時には、第３配管１３３側の電磁弁１５１を閉じ、第２配管１３２側の循環ポンプ１４０を動作させることで洗濯水を循環させることができる。排水時には、循環ポンプ１４０を停止し、電磁弁１５１を開くことで洗濯槽１１０からの排水を行うことができる。
【００１４】
続いて、本実施の形態１に係るフィルタユニット２０の具体的構成について説明する。図２はフィルタユニット２０を斜め上前方から見た分解斜視図であり、図３はフィルタユニット２０を斜め上後方から見た分解斜視図である。
【００１５】
フィルタユニット２０は、フィルタケース２１、リントフィルタ（フィルタ）３０およびツマミ部材２２によって構成されている。フィルタケース２１は有底筒型のケース部材であり、その内部にリントフィルタ３０を収納するようになっている。フィルタケース２１は、ドラム式洗濯機１０内において、筒部分の長手軸が前後方向に向くように配置される。尚、以下の説明において、フィルタユニット２０の向きはドラム式洗濯機１０内での配置向きを示しており、前方はドラム式洗濯機１０の正面側、後方はドラム式洗濯機１０の背面側に対応する。
【００１６】
フィルタケース２１の前方側には、リントフィルタ３０を差し込むための差込み口２１１が設けられており、リントフィルタ３０は差込み口２１１からフィルタケース２１に対して着脱可能となっている。より具体的には、リントフィルタ３０はツマミ部材２２に取り付けられた状態でフィルタケース２１に対して着脱される。このとき、リントフィルタ３０の前方端部をツマミ部材２２の後方端部に差し込むようにして、リントフィルタ３０がツマミ部材２２に取り付けられる。また、ツマミ部材２２には雄ネジ部２２１が形成されており、フィルタケース２１の差込み口２１１には雌ネジ部２１２が形成されており、ツマミ部材２２を回転させることでリントフィルタ３０をフィルタケース２１に対して着脱することができる。
【００１７】
また、フィルタケース２１の円筒部分の側面には、流入口２１３、流出口（第２の流出口）２１４および排水口（第１の流出口）２１５が形成されている。流入口２１３はフィルタケース２１の上方に設けられており、第１配管１３１と接続される。流出口２１４は第２配管１３２と接続され、排水口２１５は第３配管１３３と接続される。フィルタケース２１内のリントフィルタ３０は、流入口２１３と流出口２１４および排水口２１５との間に配置されるようになっている。これにより、リントフィルタ３０は、洗濯時には流入口２１３から流出口２１４へと流れる洗濯水（循環水）に対してフィルタ機能を発揮し、排水時には流入口２１３から排水口２１５へと流れる洗濯水（排水）に対してフィルタ機能を発揮することができる。
【００１８】
図４は、本実施の形態１に係るリントフィルタ３０の具体的構成を示す斜視図であり、（ａ）はフィルタケース２１に収容される状態を示し、（ｂ）はフィルタケース２１から取り出されて溜まったゴミを除去するときの状態を示す。
【００１９】
リントフィルタ３０は、フィルタ本体３１と可動部材３２とによって構成されている。図５（ａ）はフィルタ本体３１の斜視図であり、図５（ｂ）は可動部材３２の斜視図である。フィルタ本体３１は、ツマミ部材２２に差し込まれる基部３１１と、基部３１１から後方側に延設されたフィルタ部３１２とにより構成されている。フィルタ部３１２は、上方が開口された有底のフィルタ部であり、少なくとも側面および後面がフィルタ面とされている。具体的には、フィルタ部３１２の底面は格子状フィルタとされ、側面および後面は上下方向（鉛直方向）に平行に延設された複数のリブからなるリブ状フィルタとされている。フィルタ部３１２において、リブが形成されたフィルタ面は流出口２１４および排水口２１５に向いて設けられており、開口は流入口２１３に向いて設けられている。
【００２０】
可動部材３２は、フィルタ部３１２に対して上方から嵌め込み可能となっており、フィルタ部３１２のフィルタ面に沿って（より具体的には、フィルタ部３１２の側面および後面のリブに沿って）上下方向に平行に摺動可能となっている。このため、可動部材３２の周辺には、フィルタ部３１２のリブと歯合するような複数の溝（または孔）が形成される。リントフィルタ３０をフィルタケース２１に収容した状態では、図４（ａ）に示すように、可動部材３２はフィルタ部３１２の底面と接触するように下方に押し下げられている。
【００２１】
フィルタユニット２０の使用時（洗濯時または排水時）には、フィルタケース２１の流入口２１３から流入する洗濯水は、フィルタ部３１２の上方から流れ込み、フィルタ部３１２のフィルタ面（底面、側面および後面）を通過して、フィルタケース２１の流出口２１４または排水口２１５から流出する。このとき、洗濯水に混入している糸くずなどのゴミはフィルタ部３１２のフィルタ面で捕集される。また、捕集されたゴミは可動部材３２の上面側に溜まることになる。
【００２２】
フィルタユニット２０に溜まったゴミを除去する場合には、リントフィルタ３０をフィルタケース２１から抜き取り、図４（ｂ）に示すように、可動部材３２を上方に引き上げる。このとき、可動部材３２において、フィルタ部３１２のリブの間に設けられた部分が、フィルタ部３１２のリブに沿った移動をガイドするガイド部となる。リントフィルタ３０にて捕集されたゴミは可動部材３２の上面側に溜まっているため、可動部材３２を引き上げる動作によってフィルタ部３１２のリブに付着した糸くずなどのゴミを掻き取って集めることができ、リントフィルタ３０を裏返すだけで容易にリントフィルタ３０からゴミを除去することができる。このとき、ユーザは、可動部材３２を引き上げる動作においてリントフィルタ３０に溜まったゴミに触れる必要もない。
【００２３】
すなわち、リントフィルタ３０の可動部材３２は、フィルタ部３１２のリブの間に設けられたガイド部が、リブに沿って移動することで、リブの間のゴミを除去することができる。また、ガイド部が、リブの間に設けられているため、可動部材３２の変形や脱落などが抑制される。尚、可動部材３２は、フィルタ部３１２の側面より外側に突出する取手部３２１を有していることが好ましい。可動部材３２に取手部３２１を設けることで、ユーザが可動部材３２を移動させる動作が容易となる。
【００２４】
尚、上記説明では、リントフィルタ３０が、フィルタ本体３１と可動部材３２とによって構成される場合を例示した。しかしながら、本発明はこれに限定されるものでなく、可動部材３２に代えて、図５（ｃ）に示す可動部材３３や図５（ｄ）に示す可動部材３４を用いることも可能である。
【００２５】
図５（ｂ）に示す可動部材３２は、それ自体はフィルタ面を有していない構成とされている。これに対し、図５（ｃ）に示す可動部材３３は、それ自体がフィルタ面を有している構成とされている。これにより、可動部材３３は、フィルタ本体３１のフィルタ部３１２における底面の格子状フィルタのフィルタ機能を損なうことがない。
【００２６】
また、可動部材３２は、その周囲に外枠部３２２を有しており、フィルタ本体３１の側面および後面における各リブは、その先端に外方に突出した係合突起３１３を有している。この構成では、図４（ｂ）に示すように、可動部材３２を上方に引き上げたとき、可動部材３２の外枠部３２２が係合突起３１３に引っ掛かり、可動部材３２がフィルタ本体３１から抜け落ちることを防止できる。これに対し、図５（ｄ）に示す可動部材３４は、その周囲に外枠部を有しない構造とされており、可動部材３４はフィルタ本体３１から容易に抜き取ることができるようになっている。この構成では、可動部材３４をフィルタ本体３１から抜き取る動作により、リントフィルタ３０に溜まったゴミをより確実に除去することができる。
【００２７】
さらに、本実施の形態１に係るリントフィルタ３０は、図６（ａ），（ｂ）に示すフィルタ本体３５と可動部材３６とによって構成されるものであってもよい。図６（ａ），（ｂ）に示すリントフィルタ３０は、フィルタ本体３５において、側面および後面における各リブの先端から係合突起をなくしたものである。この構成においても、可動部材３６はフィルタ本体３５から容易に抜き取ることができる。
【００２８】
〔実施の形態２〕
本実施の形態２では、実施の形態１とは異なるリントフィルタの構造について説明する。図７は、本実施の形態２に係るリントフィルタ４０の具体的構成を示す斜視図であり、（ａ）はフィルタケース２１に収容される状態を示し、（ｂ）はフィルタケース２１から取り出されて溜まったゴミを除去するときの状態を示す。本実施の形態２では、実施の形態１におけるリントフィルタ３０に代えてリントフィルタ４０を用いるが、フィルタケース２１およびツマミ部材２２については実施の形態１と同様のものが用いられる。
【００２９】
本実施の形態２に係るリントフィルタ４０は、フィルタ本体４１と可動部材４２とによって構成されている。図８（ａ）はフィルタ本体４１の斜視図であり、図８（ｂ）は可動部材４２の斜視図である。フィルタ本体４１は、ツマミ部材２２に差し込まれる基部４１１と、基部４１１から後方側に延設されたフィルタ部４１２とにより構成されている。フィルタ部４１２は、上方が開口された有底のフィルタ部であり、少なくとも側面および後面がフィルタ面とされている。具体的には、フィルタ部４１２の底面は格子状フィルタとされ、側面および後面は上下方向に延設された複数のリブからなるリブ状フィルタとされている。但し、側面のリブは略上下方向に延設されているものであり、実際には、後述する回動支点Ａに対して同心円状に形成されている。
【００３０】
可動部材４２は、フィルタ部４１２に対して上方から嵌め込み可能となっており、かつ、可動部材４２の前方端部の両側面に回動突起４２１を有している。一方、フィルタ本体４１は回動突起４２１を嵌合させるための回動孔４１３を有している。可動部材４２をフィルタ部４１２に対して嵌め込んだとき、回動突起４２１が回動孔４１３に嵌合することで回動支点Ａとなり、可動部材４２は回動支点Ａを中心として、かつ、フィルタ部４１２のフィルタ面に沿って（より具体的には、フィルタ部４１２の側面および後面のリブに沿って）上下方向に回動可能となる。リントフィルタ４０をフィルタケース２１に収容した状態では、図７（ａ）に示すように、可動部材４２はフィルタ部４１２の底面と接触するように下方に押し下げられている。
【００３１】
本実施の形態２に係るリントフィルタ４０でも、洗濯水に混入している糸くずなどのゴミはフィルタ部４１２のフィルタ面で捕集され、捕集されたゴミは可動部材４２の上面側に溜まることになる。
【００３２】
フィルタユニット２０に溜まったゴミを除去する場合には、リントフィルタ４０をフィルタケース２１から抜き取り、図７（ｂ）に示すように、可動部材４２を上方に回動させる。このとき、可動部材４２において、フィルタ部４１２のリブの間に設けられた部分が、フィルタ部４１２のリブに沿った移動をガイドするガイド部となる。リントフィルタ４０にて捕集されたゴミは可動部材４２の上面側に溜まっているため、可動部材４２を上方に回動させる動作によってフィルタ部４１２のリブに付着した糸くずなどのゴミを掻き取って集めることができ、リントフィルタ４０を裏返すだけで容易にリントフィルタ４０からゴミを除去することができる。このとき、ユーザは、可動部材４２を回動させる動作においてリントフィルタ４０に溜まったゴミに触れる必要もない。
【００３３】
本実施の形態２に係るリントフィルタ４０では、可動部材４２は回動支点Ａを中心として回動移動するものであるため、回動支点Ａから離れた箇所（すなわち後方端部付近）で移動量が大きく、回動支点Ａに近い箇所（すなわち前方端部付近）で移動量が小さくなる。一方、フィルタケース２１では、流出口２１４は前後方向の中腹付近に設けられ、排水口２１５は後方端部付近に設けられている。このため、フィルタ部４１２で捕集されるゴミは、その殆どがフィルタ部４１２の中腹から後方端部付近に溜まるものであり、上述したように可動部材４２の移動量が後方端部付近で大きくなるものであれば、ゴミの除去は容易である。
【００３４】
尚、上記説明では、リントフィルタ４０が、フィルタ本体４１と可動部材４２とによって構成される場合を例示した。しかしながら、本発明はこれに限定されるものでなく、可動部材４２に代えて、図８（ｃ）に示す可動部材４３を用いることも可能である。
【００３５】
図８（ｂ）に示す可動部材４２は、それ自体はフィルタ面を有していない構成とされている。これに対し、図８（ｃ）に示す可動部材４３は、それ自体がフィルタ面を有している構成とされている。これにより、可動部材４３は、フィルタ本体４１のフィルタ部４１２における底面の格子状フィルタのフィルタ機能を損なうことがない。
【００３６】
さらに、本実施の形態２に係るリントフィルタ４０は、図９（ａ）に示すフィルタ本体４４と図９（ｂ）に示す可動部材４５とによって構成されるものであってもよい。可動部材４５は、前方端部の両側面にレバー部４５２を有し、レバー部４５２に回動突起４５１が設けられている。一方、フィルタ本体４４は回動突起４５１を嵌合させるための回動孔４４３を有している。可動部材４５をフィルタ本体４４に対して嵌め込んだとき、回動突起４５１が回動孔４４３に嵌合することで回動支点Ａとなる。この構成では、レバー部４５２を内側に押し込むことで回動突起４５１と回動孔４４３との嵌合状態を解除でき、可動部材４５をフィルタ本体４４から容易に抜き取ることができる。そして、可動部材４５をフィルタ本体４４から抜き取る動作により、リントフィルタ４０に溜まったゴミをより確実に除去することができる。
【００３７】
〔実施の形態３〕
本実施の形態３では、実施の形態１，２とは異なるリントフィルタの構造について説明する。図１０は、本実施の形態３に係るリントフィルタ５０の具体的構成を示す斜視図であり、（ａ）はフィルタケース２１に収容される状態を示し、（ｂ）はフィルタケース２１から取り出されて溜まったゴミを除去するときの状態を示す。本実施の形態３では、実施の形態１におけるリントフィルタ３０に代えてリントフィルタ５０を用いるが、フィルタケース２１およびツマミ部材２２については実施の形態１と同様のものが用いられる。
【００３８】
本実施の形態３に係るリントフィルタ５０は、フィルタ本体５１と可動部材５２とによって構成されている。図１０に示すリントフィルタ５０は、図６に示すリントフィルタ３０の変形例として示したものである。
【００３９】
フィルタ本体５１は、その側面および後面のフィルタ面が上下方向に延設された複数のリブからなるリブ状フィルタとされているだけでなく、後方端部付近においてフィルタ面の内側に複数の捕集リブ５１１を備えている。
【００４０】
実施の形態２でも述べたように、リントフィルタのフィルタ部で捕集されるゴミは、その殆どがフィルタ部の中腹から後方端部付近に溜まるものである。フィルタ本体５１における捕集リブ５１１は、捕集したゴミを後方端部付近のみで留め、フィルタ部の中腹付近に溜まるゴミを減らす作用を有する。これにより、特にドラム式洗濯機１０での洗濯時に、溜まったゴミによってフィルタケース２１の流出口２１４が塞がれて洗濯水の循環が阻害されることを防止できる。
【００４１】
〔実施の形態４〕
本実施の形態４では、実施の形態１〜３とは異なるリントフィルタの構造について説明する。図１１は、本実施の形態４に係るリントフィルタ６０の具体的構成を示す斜視図であり、（ａ）はフィルタケース２１に収容される状態を示し、（ｂ）はフィルタケース２１から取り出されて溜まったゴミを除去するときの状態を示す。本実施の形態４では、実施の形態１におけるリントフィルタ３０に代えてリントフィルタ６０を用いるが、フィルタケース２１およびツマミ部材２２については実施の形態１と同様のものが用いられる。
【００４２】
本実施の形態４に係るリントフィルタ６０は、フィルタ本体６１と可動部材６２と開閉部材６３とによって構成されている。フィルタ本体６１におけるフィルタ部６１１は、上方および後方が開口された有底のフィルタ部であり、少なくとも側面がフィルタ面とされている。具体的には、フィルタ部６１１のフィルタ面は前後方向（水平方向）に延設された複数のリブからなるリブ状フィルタとされている。
【００４３】
可動部材６２は、フィルタ部６１１に対して後方から嵌め込み可能となっており、フィルタ部６１１の側面のリブに沿って前後方向に平行に摺動可能となっている。リントフィルタ６０をフィルタケース２１に収容した状態では、図１１（ａ）に示すように、可動部材６２はフィルタ部６１１に対して前方側に位置している。
【００４４】
開閉部材６３は、フィルタ部６１１に対して後方端部に取り付けられており、フィルタ部６１１の後方端部を開閉するものとなっている。リントフィルタ６０をフィルタケース２１に収容した状態では、図１１（ａ）に示すように、開閉部材６３はフィルタ部６１１の後方端部を閉じている。尚、図１１では、開閉部材６３はそれ自体がフィルタ面を有している構成とされているが、開閉部材６３はフィルタ面を有していない構成であってもよい。
【００４５】
フィルタユニット２０の使用時（洗濯時または排水時）には、フィルタケース２１の流入口２１３から流入する洗濯水は、フィルタ部６１１の上方から流れ込み、フィルタ部６１１のフィルタ面（もしくは開閉部材６３のフィルタ面）を通過して、フィルタケース２１の流出口２１４または排水口２１５から流出する。このとき、洗濯水に混入している糸くずなどのゴミはフィルタ部６１１のフィルタ面（もしくは開閉部材６３のフィルタ面）で捕集される。また、捕集されたゴミは可動部材６２の後方側に溜まることになる。
【００４６】
フィルタユニット２０に溜まったゴミを除去する場合には、リントフィルタ６０をフィルタケース２１から抜き取り、図１１（ｂ）に示すように、開閉部材６３を開いて、可動部材６２をフィルタ部６１１のフィルタ面に沿って（より具体的には、フィルタ部６１１の側面のリブに沿って）後方に移動させる。リントフィルタ６０にて捕集されたゴミは可動部材６２の後方側に溜まっているため、可動部材６２を前方から後方に移動させる動作によってフィルタ部６１１のリブに付着した糸くずなどのゴミを掻き取って集めることができ、リントフィルタ６０の後端部を下に向けるだけで容易にリントフィルタ６０からゴミを除去することができる。このとき、可動部材６２において、フィルタ部６１１のリブの間に設けられた部分が、フィルタ部６１１のリブに沿った移動をガイドするガイド部となる。ユーザは、可動部材６２を移動させる動作においてリントフィルタ６０に溜まったゴミに触れる必要もない。
【００４７】
また、図１１では図示を省略しているが、可動部材６２に対してもフィルタ部６１１のフィルタ面から外側に突出する取手部を設けてもよい。このような取手部は、可動部材６２に対して後付けされる（可動部材６２をフィルタ本体６１に取り付けた後、フィルタ面の外側から取手部を可動部材６２に取り付ける）ものであってもよい。この場合、取手部によって可動部材６２を移動させ易くなるだけでなく、フィルタ部６１１のリブに対する補強にもなる。
【００４８】
〔変形例〕
上記実施の形態１〜４において、可動部材は、１つの部品からなる一体部材とされており、このような一体部材は樹脂にて形成することができる。しかしながら、特にフィルタ面を有しない可動部材３２，３６，４２，５２，６２であれば、これを２つの部品からなる組み合わせ部材とすることも可能である。
【００４９】
可動部材４２を例とすれば、図１２（ａ）に示すように、可動部材４２はベース部品４２Ａとこれに被せるカバー部品４２Ｂとから構成することができる。また、可動部材６２を例とすれば、図１２（ｂ）に示すように、可動部材６２はベース部品６２Ａとこれに被せるカバー部品６２Ｂとから構成することができる。この場合、ベース部品４２Ａまたは６２Ａとカバー部品４２Ｂまたは６２Ｂとの材料を異ならせることができる。例えば、ベース部品４２Ａまたは６２Ａを樹脂にて形成し、カバー部品４２Ｂまたは６２Ｂをゴムにて形成することができる。カバー部品４２Ｂまたは６２Ｂをゴムとすることで、フィルタ部４１２または６１１のリブと歯合する溝部分をリブと密着させやすくなり、リブに付着したゴミを掻き取りやすくなる。また、異なる材質の組み合わせは、２部品の組み合わせ以外に、掻き出し部の形状をゴムとした２色成型品で対応することも考えられる。
【００５０】
また、上記実施の形態１〜４において、リントフィルタがフィルタケース２１内に収容されている状態では、可動部材は所定の初期位置に移動させられている必要がある。しかしながら、ユーザがリントフィルタからゴミを除去するために可動部材を移動させた後、可動部材を元の初期位置に戻すのを忘れてリントフィルタをフィルタケース２１に装着させることも考えられる。
【００５１】
これに対しては、可動部材が初期位置に戻されていない状態では、リントフィルタをフィルタケース２１内に収容できないようにすることが考えられる。具体例として、図４のリントフィルタ３０を例にとれば、フィルタケース２１の内壁にフランジ状に突出した規制部２１６を設け、可動部材３２が初期位置に戻されていない状態（例えば図４（ｂ）の状態）では、可動部材３２における取手部３２１（すなわち、フィルタ部３１２の側面より外側に突出する部分）が規制部２１６に当接し、リントフィルタ３０がフィルタケース２１に挿入できない構成とすることが考えられる（図１３（ａ）参照）。この場合、可動部材３２が初期位置に戻されている状態（図４（ａ）の状態）では、取手部３２１が規制部２１６に当接せず、リントフィルタ３０をフィルタケース２１に挿入することができる（図１３（ｂ）参照）。
【００５２】
また、図１１に示すリントフィルタ６０のように、可動部材６２の移動方向と、リントフィルタをフィルタケース２１に挿入するときの挿入方向とが同じであれば、リントフィルタをフィルタケース２１に挿入するときの動作に連動させて、可動部材６２を初期位置に戻す構成とすることも可能である。例えば、図１４に示すように、フィルタケース２１の内部に突起状の規制部２１７を設け、リントフィルタ６０をフィルタケース２１に挿入するときには、可動部材６２が規制部２１７に当接してその移動が規制されて、可動部材６２が初期位置に戻される構成とすることができる（図１４（ｂ）参照）。この構成によっても、可動部材６２を元の初期位置に戻し忘れた状態で、リントフィルタ６０がフィルタケース２１に装着されることを防止できる。
【００５３】
また、本発明に係るフィルタおよび洗濯機は、以下のような態様として記載することもできる。本発明の他の態様であるリントフィルタは、ドラム式洗濯機に使用され、洗濯水に含まれるゴミを捕集するリントフィルタであって、洗濯水を通過させるときにゴミを捕集するフィルタ面を備えたフィルタ本体と、前記フィルタ本体の前記フィルタ面に沿って移動可能であり、前記フィルタ面に沿った移動によって前記フィルタ面に付着したゴミを掻き取る可動部材とを有しており、前記フィルタ面は、複数のリブによって形成されたリブ状フィルタであり、前記可動部材は、前記リブに沿って移動可能であることを特徴としている。
【００５４】
上記の構成によれば、リントフィルタに溜まったゴミは、可動部材をフィルタ面（リブ状フィルタ）のリブに沿って移動させることで、フィルタ面のリブから掻き取って集めることができる。集められたゴミは、リントフィルタを裏返すなどの簡単な動作によって、捕集したゴミにユーザが触れることなく容易にリントフィルタから除去することができる。
【００５５】
また、上記リントフィルタでは、前記フィルタ本体は、上方が開口された有底のフィルタ部を有しており、少なくとも側面および後面が前記リブ状フィルタとされており、前記リブ状フィルタにおける前記複数のリブは上下方向に平行に延設されており、前記可動部材は、前記フィルタ部の側面および後面のリブに沿って上下方向に平行に摺動可能である構成とすることができる。
【００５６】
また、上記リントフィルタでは、前記フィルタ本体は、上方が開口された有底のフィルタ部を有しており、少なくとも側面および後面が前記リブ状フィルタとされており、前記リブ状フィルタにおける前記複数のリブのうち、側面のリブは回動支点に対して同心円状に、かつ略上下方向に延設されており、後面のリブは上下方向に平行に延設されており、前記可動部材は、前記回動支点を中心として、かつ、前記フィルタ部の側面および後面のリブに沿って上下方向に回動可能である構成とすることができる。
【００５７】
また、上記リントフィルタでは、前記フィルタ本体は、上方および後方が開口された有底のフィルタ部を有しており、少なくとも側面が前記リブ状フィルタとされており、前記リブ状フィルタにおける前記複数のリブは前後方向に平行に延設されており、前記可動部材は、前記フィルタ部の側面のリブに沿って前後方向に平行に摺動可能である構成とすることができる。
【００５８】
また、上記リントフィルタでは、前記可動部材は、前記フィルタ面より外側に突出する取手部を有している構成とすることができる。
【００５９】
上記の構成によれば、捕集したゴミにユーザが触れることなく、前記可動部材を容易に移動させることができる。
【００６０】
また、上記リントフィルタでは、前記可動部材は、前記フィルタ面の前記リブに沿った移動によって前記フィルタ本体から抜き取り可能である構成とすることができる。
【００６１】
上記の構成によれば、可動部材をフィルタ本体から抜き取る動作により、リントフィルタに溜まったゴミをより確実に除去することができる。
【００６２】
また、本発明の他の態様であるドラム式洗濯機は、上記記載のリントフィルタを備えたことを特徴としている。
【００６３】
今回開示した実施形態はすべての点で例示であって、限定的な解釈の根拠となるものではない。従って、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００６４】
１０    ドラム式洗濯機（洗濯機）
１１０    洗濯槽
１３１    第１配管
１３２    第２配管
１３３    第３配管（排水配管）
１４０    循環用ポンプ
２０    フィルタユニット
２１    フィルタケース
２１３    流入口
２１４    流出口（第２の流出口）
２１５    排水口（第１の流出口）
２１６，２１７    規制部
２２    ツマミ部材
３０，４０，５０，６０    リントフィルタ（フィルタ）
３１，３５，４１，４４，５１，６１    フィルタ本体
３１１，４１１    基部
３１２，４１２，６１１    フィルタ部
３１３    係合突起
４１３，４４３    回動孔（回動支点）
５１１    捕集リブ
３２，３３，３４，３６，４２，４３，４５，５２，６２    可動部材
４２Ａ，６２Ａ    ベース部品
４２Ｂ，６２Ｂ    カバー部品
３２１    取手部
３２２    外枠部
４２１，４５１    回動突起（回動支点）
４５２    レバー部
６３    開閉部材
【図１】
2020195502.tif 000003
【図２】
2020195502.tif 000004
【図３】
2020195502.tif 000005
【図４】
2020195502.tif 000006
【図５】
2020195502.tif 000007
【図６】
2020195502.tif 000008
【図７】
2020195502.tif 000009
【図８】
2020195502.tif 000010
【図９】
2020195502.tif 000011
【図１０】
2020195502.tif 000012
【図１１】
2020195502.tif 000013
【図１２】
2020195502.tif 000014
【図１３】
2020195502.tif 000015
【図１４】
2020195502.tif 000016